(57)【特許請求の範囲】
【請求項１】
筐体前面の中で被写体側に突出した突出部の前面に配置された複数の発光手段と、
撮影待機状態において被写体に報知すべき所定の情報を取得し、取得された情報に基づいて前記複数の発光手段の発光制御を行う発光制御手段と、
交換レンズが着脱可能に装着されるマウント部と、
前記筐体前面に形成された、前記マウント部を取り囲うマウント周辺部と、
を備え、
前記突出部は、
前記マウント周辺部を挟んで前記マウント部から離れて位置し、
前記複数の発光手段は、
前記突出部の前面の中で、中央の領域よりも前記マウント部から離れた遠位領域に配置されている、
レンズ交換式カメラ。
【請求項２】
前記突出部の前面は、
前記筐体に形成されたグリップの前面である、
請求項１に記載のレンズ交換式カメラ。
【請求項３】
前記複数の発光手段は、
前記グリップの前面の中で前記マウント部から離れた位置に寄せて配置されている、
請求項２に記載のレンズ交換式カメラ。
【請求項４】
前記複数の発光手段は、
前記グリップの長手方向に沿って少なくとも一列に並べて配置されている、
請求項２又は請求項３に記載のレンズ交換式カメラ。
【請求項５】
前記複数の発光手段は、
前記長手方向に等ピッチで配置されている、
請求項４に記載のレンズ交換式カメラ。
【請求項６】
前記複数の発光手段は、
前記グリップの前面の中で前記筐体の上面側に寄せて配置されている、
請求項２から請求項５の何れか一項に記載のレンズ交換式カメラ。
【請求項７】
被写体を撮像する撮像手段と、
前記撮像手段の出力に基づいて撮影画像データを生成する撮影画像データ生成手段と、
生成された撮影画像データから人物の顔が写る顔領域を検出する顔領域検出手段と、
を備え、
前記撮影待機状態において被写体に報知すべき所定の情報は、前記人物の顔が写る顔領域の数であり、
前記発光制御手段は、
前記顔領域検出手段によって検出された顔領域の数に基づいて前記複数の発光手段の発光制御を行う、
請求項１から請求項６の何れか一項に記載のレンズ交換式カメラ。
【請求項８】
前記発光制御手段は、
前記顔領域検出手段によって検出された顔領域と同じ数の前記発光手段を発光させる、
請求項７に記載のレンズ交換式カメラ。
【請求項９】
前記撮影画像データに基づいて撮影画像を表示画面に表示する表示手段と、
前記表示画面内における前記撮影画像の表示範囲を指定する表示範囲指定手段と、
を備え、
前記画像データ生成手段は、
前記表示範囲指定手段によって指定された表示範囲に対応する画素領域を読み出して前記撮影画像データを生成し、
前記撮影待機状態において被写体に報知すべき所定の情報は、前記撮像手段の有効画素領域の全体に収まる顔領域の数と、前記表示範囲指定手段によって指定された表示範囲に収まる顔領域の数とが一致しないという情報であり、
前記発光制御手段は、
前記表示範囲指定手段により前記表示範囲が指定されると、前記撮像手段の有効画素領域の全体に収まる顔領域の数と、該表示範囲指定手段によって指定された表示範囲に収まる顔領域の数とが一致しない虞があるとして、前記複数の発光手段を、該表示範囲の指定の無い第一の状態と異なる発光状態で発光制御する、
請求項７又は請求項８に記載のレンズ交換式カメラ。
【請求項１０】
前記撮影画像データに基づいて撮影画像を表示画面に表示する表示手段と、
前記表示画面内における前記撮影画像の表示範囲を指定する表示範囲指定手段と、
前記筐体の姿勢を検出する姿勢検出手段と、
を備え、
前記画像データ生成手段は、
前記表示範囲指定手段によって指定された表示範囲に対応する画素領域を読み出して前記撮影画像データを生成し、
前記撮影待機状態において被写体に報知すべき所定の情報は、前記撮像手段の有効画素領域の全体に収まる顔領域の数と、前記表示範囲指定手段によって指定された表示範囲に収まる顔領域の数とが一致しないという情報であり、
前記発光制御手段は、
前記表示範囲指定手段により前記表示範囲が指定されている状態で前記姿勢検出手段により前記姿勢の変化が検出されると、前記撮像手段の有効画素領域の全体に収まる顔領域の数と、該表示範囲指定手段によって指定された表示範囲に収まる顔領域の数とが一致しない虞があるとして、前記複数の発光手段を、該姿勢の変化の検出前である第一の状態と異なる発光状態で発光制御する、
請求項７又は請求項８に記載のレンズ交換式カメラ。
【請求項１１】
前記発光手段は、
前記異なる発光状態の発光制御により、
（１）発光が禁止される、
（２）発光が点滅される、
（３）発光色が前記第一の状態での発光色に対して変更される、又は、
（４）発光色が前記第一の状態での発光色に対して変更され且つ発光が点滅される、
請求項９又は請求項１０に記載のレンズ交換式カメラ。
【請求項１２】
前記撮影画像データに基づいて撮影画像を表示画面に表示する表示手段と、
前記表示画面内における前記撮影画像の表示範囲を指定する表示範囲指定手段と、
を備え、
前記画像データ生成手段は、
前記表示範囲指定手段による表示範囲の指定の有無に拘わらず既定の画素領域を読み出して前記撮影画像データを生成し、
前記発光制御手段は、
前記表示範囲指定手段による前記表示範囲の指定の有無に拘わらず前記複数の発光手段を同じ方法で発光制御する、
請求項７又は請求項８に記載のレンズ交換式カメラ。
【請求項１３】
前記撮影画像データに基づいて撮影画像を表示画面に表示する表示手段と、
前記表示画面内における前記撮影画像の表示範囲を指定する表示範囲指定手段と、
を備え、
前記顔領域検出手段は、
前記表示範囲指定手段により前記表示範囲が指定されると、前記顔領域の検出を停止する、
請求項７又は請求項８に記載のレンズ交換式カメラ。
【請求項１４】
前記表示範囲指定手段は、
少なくとも、前記表示画面内における前記撮影画像の拡大表示倍率を指定する、
請求項９から請求項１３の何れか一項に記載のレンズ交換式カメラ。
【請求項１５】
前記顔領域検出手段による前記顔領域の検出範囲を設定する検出範囲設定手段
を備え、
前記発光制御手段は、
前記検出範囲設定手段により設定された検出範囲毎に前記複数の発光手段を異なる態様で発光させる、
請求項７から請求項１４の何れか一項に記載のレンズ交換式カメラ。
【請求項１６】
被写体を撮像する撮像手段と、
前記撮像手段による撮像のタイミングを指示する指示手段と、
を備え、
前記撮影待機状態において被写体に報知すべき所定の情報は、前記タイミングに達するまでの時間の情報であり、
前記発光制御手段は、
前記タイミングに達するまでの所定時間内において前記複数の発光手段の発光状態を刻々と変化させる、
請求項７から請求項１５の何れか一項に記載のレンズ交換式カメラ。
【請求項１７】
前記発光手段は、
ｎ個配置されており、
前記発光制御手段は、
前記タイミングに達するまでの時間がｎ秒以上あるときにｎ個の前記発光手段を全て発光させ、該時間がｎ秒を切ると、１秒経過毎に前記発光手段を１つずつ消灯させ、
前記撮像手段は、
前記発光手段が全て消灯された時点で被写体を撮像する、
請求項１６に記載のレンズ交換式カメラ。
【発明の詳細な説明】
【技術分野】
【０００１】
本発明は、レンズ交換可能なレンズ交換式カメラに関する。
【背景技術】
【０００２】
撮影領域内に存在する人物の顔が写る顔領域を撮影画像データから検出してＡＦ（Autofocus）制御やＡＥ（Automatic Exposure）制御を行う撮影装置が知られている。この種の撮影装置の中には、手持ちした撮影装置を自身に向けて撮影（いわゆる自分撮り）する場合やセルフタイマ撮影する場合等に、被写体となる撮影者自身に顔領域が検出されたか否かを報知する機能を備えたものがある（例えば特許文献１参照）。
【０００３】
具体的には、特許文献１に記載の撮影装置は、レンズ一体型のコンパクトデジタルカメラであり、筐体前面に液晶モニタを備えている。液晶モニタには、例えば、顔領域の検出の有無に応じて「○」又は「×」が表示されたり、検出された顔領域の数が表示されたりする。
【先行技術文献】
【特許文献】
【０００４】
【特許文献１】特許第４２９１４０８号公報
【発明の概要】
【発明が解決しようとする課題】
【０００５】
このように、特許文献１に記載の撮影装置には、顔領域の検出の有無を報知する専用の液晶モニタが備えられている。しかし、液晶モニタは高価であることから、撮影装置の製造コストを大きく引き上げるという問題がある。また、特許文献１には、液晶モニタの代替構成として、専用の発光素子を備えることが記載されている。かかる場合は製造コストの増加が抑えられるが、被写体となる撮影者自身に報知可能な情報が顔領域の検出の有無だけに限られる。
【０００６】
また、交換レンズが装着されたレンズ交換式カメラの筐体前面に特許文献１と同様の液晶モニタや発光素子が配置される場合を考える。この場合、液晶モニタや発光素子は、その配置位置によっては、撮影装置が正面視状態から僅かに斜めに傾けられただけで交換レンズに隠れて視認することができない虞がある。
【０００７】
本発明は上記の事情に鑑みてなされたものであり、その目的とするところは、製造コストが抑えられつつも被写体となる撮影者自身に報知可能な情報量が担保され且つ情報を報知する手段が交換レンズに隠れにくいレンズ交換式カメラを提供することである。
【課題を解決するための手段】
【０００８】
本発明の一実施形態に係るレンズ交換式カメラは、筐体前面の中で被写体側に突出した突出部の前面に配置された複数の発光手段と、撮影待機状態において被写体に報知すべき所定の情報を取得し、取得された情報に基づいて複数の発光手段の発光制御を行う発光制御手段とを備える。
【０００９】
本発明の一実施形態によれば、筐体前面に専用の液晶モニタ等の高価なパーツを搭載することなく、複数の発光手段よりなる安価な構成を用いて多様な情報を被写体となる人物に報知することができる。また、複数の発光手段は、筐体前面の中で被写体側に突出した突出部の前面に配置されていることから、交換レンズの陰に隠れにくい。
【００１０】
また、本発明の一実施形態に係るレンズ交換式カメラは、例えば交換レンズが着脱可能に装着されるマウント部を備えている。筐体は、マウント部を取り囲うマウント周辺部を有している。発光手段が配置される突出部は、例えばマウント周辺部を挟んでマウント部から離れて位置する。複数の発光手段は、突出部の前面の中で、中央の領域よりもマウント部から離れた遠位領域に配置されている。
【００１１】
また、本発明の一実施形態において、発光手段が配置される突出部の前面は、例えば筐体に形成されたグリップの前面である。
【００１２】
また、本発明の一実施形態において、複数の発光手段は、グリップの前面の中でマウント部から離れた位置に寄せて配置されていてもよい。
【００１３】
また、本発明の一実施形態において、複数の発光手段は、グリップの長手方向に沿って少なくとも一列に並べて配置されていてもよい。
【００１４】
また、本発明の一実施形態において、複数の発光手段は、グリップの長手方向に等ピッチで配置されていてもよい。
【００１５】
また、本発明の一実施形態において、複数の発光手段は、グリップの前面の中で筐体の上面側に寄せて配置されていてもよい。
【００１６】
また、本発明の一実施形態に係るレンズ交換式カメラは、被写体を撮像する撮像手段と、撮像手段の出力に基づいて撮影画像データを生成する撮影画像データ生成手段と、生成された撮影画像データから人物の顔が写る顔領域を検出する顔領域検出手段とを備えた構成としてもよい。撮影待機状態において被写体に報知すべき所定の情報は、例えば人物の顔が写る顔領域の数である。この構成において、発光制御手段は、顔領域検出手段によって検出された顔領域の数に基づいて複数の発光手段の発光制御を行う。
【００１７】
また、本発明の一実施形態において、発光制御手段は、顔領域検出手段によって検出された顔領域と同じ数の発光手段を発光させる構成としてもよい。
【００１８】
また、本発明の一実施形態に係るレンズ交換式カメラは、撮影画像データに基づいて撮影画像を表示画面に表示する表示手段と、表示画面内における撮影画像の表示範囲を指定する表示範囲指定手段とを備える構成としてもよい。この構成において、画像データ生成手段は、表示範囲指定手段によって指定された表示範囲に対応する画素領域を読み出して撮影画像データを生成する。撮影待機状態において被写体に報知すべき所定の情報は、例えば、撮像手段の有効画素領域の全体に収まる顔領域の数と、表示範囲指定手段によって指定された表示範囲に収まる顔領域の数とが一致しないという情報である。発光制御手段は、表示範囲指定手段により表示範囲が指定されると、撮像手段の有効画素領域の全体に収まる顔領域の数と、表示範囲指定手段によって指定された表示範囲に収まる顔領域の数とが一致しない虞があるとして、複数の発光手段を、該表示範囲の指定の無い第一の状態と異なる発光状態で発光制御する。
【００１９】
また、本発明の一実施形態に係るレンズ交換式カメラは、撮影画像データに基づいて撮影画像を表示画面に表示する表示手段と、表示画面内における撮影画像の表示範囲を指定する表示範囲指定手段と、筐体の姿勢を検出する姿勢検出手段とを備える構成としてもよい。この構成において、画像データ生成手段は、表示範囲指定手段によって指定された表示範囲に対応する画素領域を読み出して撮影画像データを生成する。撮影待機状態において被写体に報知すべき所定の情報は、例えば、撮像手段の有効画素領域の全体に収まる顔領域の数と、表示範囲指定手段によって指定された表示範囲に収まる顔領域の数とが一致しないという情報である。発光制御手段は、表示範囲指定手段により表示範囲が指定されている状態で姿勢検出手段により姿勢の変化が検出されると、撮像手段の有効画素領域の全体に収まる顔領域の数と、表示範囲指定手段によって指定された表示範囲に収まる顔領域の数とが一致しない虞があるとして、複数の発光手段を、該姿勢の変化の検出前である第一の状態と異なる発光状態で発光制御する。
【００２０】
発光手段は、例えば、表示画面内における撮影画像の表示範囲の指定の無い又は筐体の姿勢の変化の検出前である第一の状態と異なる発光状態の発光制御により、
（１）発光が禁止される、
（２）発光が点滅される、
（３）発光色が第一の状態での発光色に対して変更される、又は、
（４）発光色が第一の状態での発光色に対して変更され且つ発光が点滅される。
【００２１】
また、本発明の一実施形態に係るレンズ交換式カメラは、撮影画像データに基づいて撮影画像を表示画面に表示する表示手段と、表示画面内における撮影画像の表示範囲を指定する表示範囲指定手段とを備える構成としてもよい。この構成において、画像データ生成手段は、表示範囲指定手段による表示範囲の指定の有無に拘わらず既定の画素領域を読み出して撮影画像データを生成する。また、発光制御手段は、表示範囲指定手段による表示範囲の指定の有無に拘わらず複数の発光手段を同じ方法で発光制御する。
【００２２】
また、本発明の一実施形態に係るレンズ交換式カメラは、撮影画像データに基づいて撮影画像を表示画面に表示する表示手段と、表示画面内における撮影画像の表示範囲を指定する表示範囲指定手段とを備える構成としてもよい。この構成において、顔領域検出手段は、表示範囲指定手段により表示範囲が指定されると、顔領域の検出を停止する。
【００２３】
また、本発明の一実施形態において、表示範囲指定手段は、少なくとも、表示画面内における撮影画像の拡大表示倍率を指定する構成としてもよい。
【００２４】
また、本発明の一実施形態に係るレンズ交換式カメラは、顔領域検出手段による顔領域の検出範囲を設定する検出範囲設定手段を備える構成としてもよい。この構成において、発光制御手段は、検出範囲設定手段により設定された検出範囲毎に複数の発光手段を異なる態様で発光させる。
【００２５】
また、本発明の一実施形態に係るレンズ交換式カメラは、被写体を撮像する撮像手段と、撮像手段による撮像のタイミングを指示する指示手段とを備える構成としてもよい。撮影待機状態において被写体に報知すべき所定の情報は、例えば撮像のタイミングに達するまでの時間の情報である。この構成において、発光制御手段は、撮像のタイミングに達するまでの所定時間内において複数の発光手段の発光状態を刻々と変化させる。
【００２６】
また、本発明の一実施形態において、発光手段は、例えばｎ個配置されている。この場合、発光制御手段は、撮像のタイミングに達するまでの時間がｎ秒以上あるときにｎ個の発光手段を全て発光させ、該時間がｎ秒を切ると、１秒経過毎に発光手段を１つずつ消灯させる。そして、撮像手段は、発光手段が全て消灯された時点で被写体を撮像する。
【発明の効果】
【００２７】
本発明の実施形態によれば、製造コストが抑えられつつも被写体となる撮影者自身に報知可能な情報量が担保され且つ情報を報知する手段が交換レンズに隠れにくいレンズ交換式カメラが提供される。
【図面の簡単な説明】
【００２８】
【図１】本発明の実施形態の撮影装置の構成を示すブロック図である。
【図２】本発明の実施形態の撮影装置に備えられるカメラ本体部の正面図である。
【図３】本発明の実施形態の撮影装置に備えられるカメラ本体部の上面図である。
【図４】本発明の実施形態の撮影装置に備えられるカメラ本体部の背面図である。
【図５】本発明の実施形態の撮影装置に備えられるカメラ本体部の斜視図である。
【図６】本発明の実施形態の撮影装置に備えられる発光部の発光制御フローであって、撮影領域内に収まる人物数の報知フローを示す図である。
【図７】図６の発光制御フローの説明を補助する図である。
【図８】図６の発光制御フローの説明を補助する図である。
【図９】図６の発光制御フローの説明を補助する図である。
【図１０】本発明の実施形態のケース５における発光制御フローを示す図である。
【図１１】本発明の実施形態の撮影装置に備えられる発光部の発光制御フローであって、セルフタイマ撮影時のカウントダウンの報知フローを示す図である。
【図１２】図１１の発光制御フローの説明を補助する図である。
【図１３】本発明の実施形態の撮影装置に備えられる発光部の他の概略的なレイアウトを示す図である。
【発明を実施するための形態】
【００２９】
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えばミラーレス一眼カメラなど、他のレンズ交換式カメラであってもよい。
【００３０】
［撮影装置１全体の構成］
図１は、本実施形態の撮影装置１の構成を示すブロック図である。図１に示されるように、撮影装置１は、カメラ本体部１０及びカメラ本体部１０に着脱可能に装着される交換レンズ２０を備えている。
【００３１】
カメラ本体部１０は、ＣＰＵ（Central Processing Unit）１００、操作部１０２、駆動回路１０４、姿勢検出部１０６、情報報知部１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。交換レンズ２０は、撮影レンズ２００及び絞り２０２を備えている。なお、撮影レンズ２００は複数枚構成であるが、図１においては便宜上一枚のレンズとして示す。
【００３２】
操作部１０２には、電源スイッチやレリーズスイッチ、撮影モードスイッチなど、ユーザが撮影装置１を操作するために必要な各種スイッチが含まれる。ユーザにより電源スイッチが操作されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００３３】
レリーズスイッチが操作されると、ＣＰＵ１００は、例えば、固体撮像素子１１２により撮像されたライブビュー（後述）から計算された測光値や、撮影装置１に内蔵されたＴＴＬ（Through The Lens）露出計（不図示）で測定された測光値に基づき適正露出が得られるように、駆動回路１０４を介して絞り２０２及びシャッタ１１０を駆動制御する。より詳細には、絞り２０２及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。ＣＰＵ１００は、ＡＦ結果に基づいて駆動回路１０４を介して撮影レンズ２００を駆動制御し、撮影レンズ２００の焦点を調整する。なお、この種のＡＥ及びＡＦの構成及び制御については周知であるため、ここでの詳細な説明は省略する。
【００３４】
被写体からの光束は、撮影レンズ２００、絞り２０２、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００３５】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００３６】
カード用インタフェース１２０のカードスロットには、メモリカード３００が着脱可能に差し込まれている。
【００３７】
画像処理エンジン１１６は、カード用インタフェース１２０を介してメモリカード３００と通信可能である。画像処理エンジン１１６は、生成された圧縮画像信号（撮影画像データ）をメモリカード３００（又は撮影装置１に備えられる不図示の内蔵メモリ）に保存する。
【００３８】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画（ライブビュー）を、ＬＣＤ１２４の表示画面を通じて視認することができる。
【００３９】
画像処理エンジン１１６は、ユーザにより撮影画像の再生操作が行われると、操作により指定された撮影画像データをメモリカード３００又は内蔵メモリ（不図示）より読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、撮影画像がＬＣＤ１２４の表示画面に表示される。
【００４０】
姿勢検出部１０６は３軸加速度センサを備えており、カメラ本体部１０（撮影装置１）の姿勢を検出する。３軸加速度センサは、互いに直交する３軸の加速度を検出することが可能なセンサであり、カメラ本体部１０の加速度に応じたレベル信号を出力する。姿勢検出部１０６は、３軸加速度センサより出力されるレベル信号に基づいて加速度ベクトルを計算し、計算された加速度ベクトルに基づいてカメラ本体部１０の姿勢を検出する。検出された姿勢情報は、撮影画像データをメモリカード３００に保存する際、メタ情報として撮影画像データに付加される。また、姿勢情報は、例えばカメラ本体部１０の傾き状態を示す情報としてＬＣＤ１２４等の表示画面に表示される（いわゆる電子水準器機能）。なお、カメラ本体部１０の姿勢は、加速度センサ及び地磁気センサを持つ複合センサや他の姿勢検出センサを用いて検出してもよい。
【００４１】
情報報知部１０８は、撮影者が手持ちした撮影装置１を自身に向けて撮影（いわゆる自分撮り）する場合やセルフタイマ撮影する場合等に、被写体となる撮影者自身に撮影に関する所定の情報を報知する。
【００４２】
ここで、図２〜図５のそれぞれに、カメラ本体部１０の正面図、上面図、背面図、斜視図を示す。なお、説明の便宜上、図３（カメラ本体部１０の上面図）に、カメラ本体部１０に装着された交換レンズ２０の概略的な輪郭を一点鎖線にて示す。
【００４３】
情報報知部１０８は、複数の発光部１０８ａ（本実施形態では５つ）を備えている（例えば図２中、破線参照）。発光部１０８ａは例えばＬＥＤ（Light Emitting Diode）であり、筐体１０ａの前面の中で被写体側に突出した所定の突出領域に配置されている。カメラ本体部１０には、交換レンズ２０が着脱可能に装着されるマウント部１２が備えられている。筐体１０ａには、マウント部１２を取り囲うマウント周辺部１３が形成されている。発光部１０８ａが配置される突出領域は、マウント周辺部１３を挟んでマウント部１２から離れて位置する。具体的には、複数の発光部１０８ａは、図２等に示されるように、筐体１０ａに形成されたグリップ１１の前面１１ａに上下方向（グリップ１１の長手方向）に一列に等ピッチで並べて配置されており、且つ前面１１ａの中でもマウント部１２から離れた位置に寄せて配置されている。
【００４４】
グリップ１１は、被写体側に最も突出する交換レンズ２０に対して筐体１０ａの前面の中でも離れて位置するパーツであり（図２等参照）、且つ筐体１０ａの前面の中でも被写体側に突出した面（図３等参照）となっている。また、複数の発光部１０８ａは、前面１１ａの中でも交換レンズ２０（マウント部１２）から離れた位置に寄せて配置されている。そのため、複数の発光部１０８ａは、被写体である撮影者から見たときに交換レンズ２０の陰に隠れにくい。従って、撮影者は、自分撮りやセルフタイマ撮影等においても発光部１０８ａの発光状態を視認しやすい。
【００４５】
［撮影領域内に収まる人物数の報知処理］
［発光部１０８ａの発光制御フロー］
図６に、ＣＰＵ１００による発光部１０８ａの発光制御フローであって、撮影領域内に収まる人物数の報知フローを示す。また、図７〜図９に、本フローの説明を補助する図を示す。図７〜図９には、ＬＣＤ１２４の表示画面に表示されるライブビューとそれに対応する発光部１０８ａの発光例を概略的に示す。本フローは、例えば、撮影装置１の電源投入後、撮影が可能な状態に遷移した時点（例えばライブビューの表示を開始した時点等）で開始され、撮影ができない状態に遷移した時点（例えば再生モードへ遷移した時点等）で終了する。
【００４６】
［図６のＳ１１（顔領域の検出）］
本処理ステップＳ１１では、フレームメモリにバッファリングされた撮影画像データから人物の顔が写る顔領域が検出される。例示的には、顔独自の特徴を持つ領域（例えば肌色を持つ領域、目を持つ領域、顔の形状を持つ領域等）が複合的に判断されて顔領域が検出される。なお、顔領域の検出アルゴリズムは周知であるため、その具体的説明は省略する。
【００４７】
［図６のＳ１２（発光部１０８ａの点灯）］
本処理ステップＳ１２では、処理ステップＳ１１（顔領域の検出）にて検出された顔領域と同じ数の発光部１０８ａが例えば緑色で点灯される。具体的には、顔領域の検出数が１つの場合（図７（ａ）参照）は１つの発光部１０８ａが点灯され（図７（ｂ）参照）、顔領域の検出数が２つの場合（図８（ａ）参照）は２つの発光部１０８ａが点灯される（図８（ｂ）参照）。また、顔領域の検出数が６以上の場合は、一律に、５つ全ての発光部１０８ａが点灯される。撮影者は、例えば自分撮りする場合に撮影したい人物全てが撮影領域内に収まっているか否かを、複数の発光部１０８ａの点灯状態を視認することで容易に把握することができる。
【００４８】
処理ステップＳ１１（顔領域の検出）と処理ステップＳ１２（発光部１０８ａの点灯）とが所定の周期で繰り返されることにより、撮影領域内に収まる人数（人物の顔の数）が発光部１０８ａを通じて撮影者にリアルタイムで報知される。
【００４９】
［拡大表示操作時の割込み処理］
ライブビューは、通常、ＬＣＤ１２４の表示画面内で等倍表示されている。ここでいう等倍表示とは、例えば、本来の撮影領域（固体撮像素子１１２の有効画素領域全体に対応する画角）のライブビュー全体を、表示画面内の規定の表示領域（ライブビュー用の表示領域）全体にフィットさせたときの表示倍率をいう。
【００５０】
ここで、図６に示される発光制御フローの実行中、等倍表示されたライブビュー内で拡大させたい位置及びその表示倍率（換言すると、ライブビュー内で拡大させたい範囲）が操作部１０２を介して指定されると、ライブビューが拡大表示（指定された範囲のライブビューが規定の表示領域全体にフィットする倍率で表示）される（図９（ａ）参照）と共に図６の発光制御フローが中断されて、発光部１０８ａが等倍表示時と異なる方法で発光制御される。以下に、その具体例を複数説明する。
【００５１】
ライブビューの高画質化のため、固体撮像素子１１２の読出し領域が拡大表示される範囲に応じて有効画素領域の一部に制限される方式がある。この方式においてライブビューの拡大表示の実行中は、制限された画素領域内でしか顔領域が検出されないため、本来の撮影領域（有効画素領域全体に対応する画角）内に収まる顔領域が正しく検出されない。そのため、撮影領域内に収まる顔領域の数と発光部１０８ａの点灯数との整合が取れず、撮影者に誤った情報が報知される虞がある。下記ケース１〜５は、かかる問題を解消するのに好適な発光制御である。なお、ライブビューの拡大表示が解除されて等倍表示に復帰すると、発光部１０８ａの発光制御も図６の発光制御フローに復帰する。
【００５２】
・ケース１
ケース１では、ライブビューの拡大表示操作の入力が検知されると、図９（ｂ）に示されるように、全ての発光部１０８ａの点灯が禁止される。撮影者は、全ての発光部１０８ａの消灯を視認することにより、ライブビューが拡大表示中（すなわち、撮影領域内に収まる顔領域の数を正しく検出することができない状況）であることを把握することができる。
【００５３】
なお、発光部１０８ａの点灯禁止に代えて、顔領域の検出処理自体が停止されてもよい。顔領域の検出処理自体が停止されることにより、全ての発光部１０８ａが点灯しない。この場合も、撮影者は、全ての発光部１０８ａの非点灯を視認することにより、ライブビューが拡大表示中（すなわち、撮影領域内に収まる顔領域の数を正しく検出することができない状況）であることを把握することができる。
【００５４】
・ケース２
ケース２では、ライブビューの拡大表示操作の入力が検知されると、図９（ｃ）に示されるように、ライブビューの等倍表示時に点灯していた発光部１０８ａ（又は少なくとも１つの規定の発光部１０８ａ）の発光が点滅に変わる。撮影者は、発光部１０８ａの点滅を視認することにより、発光部１０８ａの発光状態が必ずしも撮影領域内に収まる顔領域の数を表しているわけではないことを把握することができる。
【００５５】
・ケース３
ケース３では、ライブビューの拡大表示操作の入力が検知されると、図９（ｄ）に示されるように、ライブビューの等倍表示時に点灯していた発光部１０８ａ（又は少なくとも１つの規定の発光部１０８ａ）の発光色（緑色）が他の色（例えば赤）に変更される。撮影者は、発光部１０８ａの発光色を視認することにより、発光部１０８ａの発光状態が必ずしも撮影領域内に収まる顔領域の数を表しているわけではないことを把握することができる。
【００５６】
・ケース４
ケース４では、ライブビューの拡大表示操作の入力が検知されると、ライブビューの等倍表示時に点灯していた発光部１０８ａ（又は少なくとも１つの規定の発光部１０８ａ）の発光色（緑色）が他の色（例えば赤）に変更され且つ発光が点滅される。撮影者は、発光部１０８ａの発光色及び点滅を視認することにより、発光部１０８ａの発光状態が必ずしも撮影領域内に収まる顔領域の数を表しているわけではないことを把握することができる。
【００５７】
・ケース５
図１０は、ケース５における発光部１０８ａの発光制御フローを示す。本フローは、例えば、ライブビューの拡大表示操作の入力を検知すると同時に開始され、ライブビューの拡大表示が解除されるまで継続する。
【００５８】
［図１０のＳ２１（姿勢変化の検出）］
本処理ステップＳ２１では、姿勢検出部１０６の出力に基づいて撮影装置１の姿勢の変化が検出される。例えば、姿勢検出部１０６より周期的に出力される姿勢情報がモニタリングされ、姿勢情報に変化が生じた場合に又は姿勢情報の変化量が所定の許容範囲を超えた場合に、姿勢の変化が検出される。
【００５９】
［図１０のＳ２２（発光状態の継続）］
本処理ステップＳ２２は、処理ステップＳ２１（姿勢変化の検出）にて撮影装置１の姿勢の変化が検出されない場合（Ｓ２１：ＮＯ）に実行される。例えば、記念撮影等で撮影装置１が固定され且つ被写体も静止状態にあることが担保されている撮影シーンが考えられる。この場合は、原則、撮影領域内に収まる顔領域の数が変化しない。そのため、本処理ステップＳ２２では、ライブビューの拡大表示操作前（すなわち等倍表示時）と同じ点灯状態が継続される。すなわち、ライブビューの拡大表示操作後の固体撮像素子１１２の読出し領域に含まれる顔領域の検出数に拘わらず、拡大表示操作前と同じ数の発光部１０８ａが点灯される。
【００６０】
［図１０のＳ２３（発光状態の変更）］
本処理ステップＳ２３は、処理ステップＳ２１（姿勢変化の検出）にて撮影装置１の姿勢の変化が検出された場合（Ｓ２１：ＹＥＳ）に実行される。この場合、撮影装置１の姿勢の変化に伴い、撮影領域がライブビューの等倍表示時と比べて変わる。そのため、処理ステップＳ２２（発光状態の継続）と同様にライブビューの拡大表示操作前と同じ点灯状態が継続されると、撮影領域内に収まる顔領域の数と発光部１０８ａの点灯数との整合が取れず、撮影者に誤った情報が報知される虞がある。
【００６１】
従って、本処理ステップＳ２３では、発光部１０８ａがケース１〜４（点灯禁止、点滅発光、発光色の変更、発光色の変更及び点滅発光）の何れか１つの方法で発光制御される。撮影者は、発光部１０８ａの発光状態を視認することにより、撮影領域内に収まる顔領域の数を正しく検出することができない状況にあることを把握することができる。
【００６２】
なお、固体撮像素子１１２の読出し領域がライブビューの拡大表示の有無に拘わらず常時一定（常時有効画素領域全体）の方式もある。この方式においては、ライブビューの拡大表示の実行中も本来の撮影領域（有効画素領域全体に対応する画角）内に収まる顔領域が正しく検出される。撮影領域内に収まる顔領域の数と発光部１０８ａの点灯数とが常時整合するため、発光部１０８ａは、拡大表示の有無に拘わらず図６の発光制御フローの実行により発光される。
【００６３】
［セルフタイマ撮影時のカウントダウンの報知処理］
［発光部１０８ａの発光制御フロー］
図１１に、ＣＰＵ１００による発光部１０８ａの発光制御フローであって、セルフタイマ撮影時のカウントダウンの報知フローを示す。図１２に、本フローの説明を補助する図を示す。本フローは、例えば操作部１０２を介してセルフタイマ撮影（１０秒後撮影）の指示操作が行われると同時に開始される。
【００６４】
［図１１のＳ３１（カウント値ｎの設定）］
本処理ステップＳ３１では、所定のカウント値ｎが「１０」に設定される。本フローにおいて、カウント値ｎは、１秒経過毎に１デクリメントされる。そのため、カウント値ｎ＝１０は、１０秒後に撮影が行われることを示す。
【００６５】
［図１１のＳ３２（発光部１０８ａの発光）］
本処理ステップＳ３２では、図１２（ａ）に示されるように、５つ全ての発光部１０８ａが点灯される。
【００６６】
［図１１のＳ３３（カウント値ｎのデクリメント）］
本処理ステップＳ３３では、処理ステップＳ３１（カウント値ｎの設定）にてカウント値ｎが設定された後、一秒経過後に、カウント値ｎが１デクリメントされる。
【００６７】
［図１１のＳ３４（カウント値ｎの判定）］
本処理ステップＳ３４では、カウント値ｎが「５」か否かが判定される。カウント値ｎが「５」でない場合は（Ｓ３４：ＮＯ）、処理ステップＳ３３（カウント値ｎのデクリメント）に戻り、前回のデクリメント処理後、一秒経過後に、カウント値ｎが１デクリメントされる。次いで、本処理ステップＳ３４が再度実行される。カウント値ｎが「５」の場合は（Ｓ３４：ＹＥＳ）、処理ステップＳ３５（カウント値ｎのデクリメント）に進む。
【００６８】
［図１１のＳ３５（カウント値ｎのデクリメント）］
本処理ステップＳ３５では、前回のデクリメント処理後、一秒経過後に、カウント値ｎが１デクリメントされる。
【００６９】
［図１１のＳ３６（発光部１０８ａの消灯）］
本処理ステップＳ３６では、点灯中の発光部１０８ａのうち１つの発光部１０８ａが消灯される。
【００７０】
［図１１のＳ３７（カウント値ｎの判定）］
本処理ステップＳ３７では、カウント値ｎが「０」か否かが判定される。カウント値ｎが「０」でない場合は（Ｓ３７：ＮＯ）、処理ステップＳ３５（カウント値ｎのデクリメント）及び処理ステップＳ３６（発光部１０８ａの消灯）が再度実行された後、本処理ステップＳ３７が再度実行される。カウント値ｎが「０」の場合は（Ｓ３７：ＹＥＳ）、処理ステップＳ３８（撮影処理の実行）に進む。
【００７１】
［図１１のＳ３８（撮影処理の自動実行）］
本処理ステップＳ３８では、撮影処理が自動実行されることにより、撮影領域内に収まる被写体に対するセルフタイマ撮影が行われる。これにより、本フローが終了する。
【００７２】
本フローによれば、処理ステップＳ３５〜Ｓ３７がループすることで、図１２（ｂ）〜図１２（ｆ）に示されるように、筐体１０ａの上面側に位置する発光部１０８ａから１秒経過毎に順に１つずつ消灯され、全てが消灯された時点で撮影が行われる。このように５つの発光部１０８ａが発光制御されることにより、撮影５秒前から撮影までのカウントダウンが被写体である人物に報知される。
【００７３】
このように、本実施形態によれば、筐体１０ａの前面に専用の液晶モニタ等の高価なパーツを搭載することなく安価な構成で、撮影領域内に収まる人物の数やセルフタイマ撮影のカウントダウンなど、多様な情報を被写体となる人物に報知することができる。
【００７４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００７５】
発光部１０８ａのレイアウトは、図２等に例示されるものに限らない。図１３に、発光部１０８ａの他の概略的なレイアウトを複数例示する。発光部１０８ａは、上記の実施形態ではグリップ１１の前面１１ａに一列に並べて配置されているが、図１３（ａ）に示されるように、前面１１ａに複数列（図１３（ａ）の例では二列）並べて配置されてもよい。また、自分撮り等を行う撮影者は、一般的にはグリップ１１の下部側を把持する。そのため、発光部１０８ａは、例えば図１３（ｂ）に示されるように、前面１１ａの中で撮影者の手に隠れにくい筐体１０ａの上面側に寄せて配置されてもよい。また、発光部１０８ａは、グリップ１１の前面１１ａに限らず、筐体１０ａの前面の中で被写体側に突出した他の突出領域に配置されてもよい。例えば、筐体１０ａの前面の中でペンタプリズムが収容保持されている部分の面１４は、被写体側に突出している（図３、図５等参照）。発光部１０８ａは、図１３（ｃ）に示されるように、筐体１０ａの前面に形成された面１４に左右方向（面１４の長手方向）に並べて配置されてもよい。
【００７６】
また、自分撮り等のため、ＬＣＤ１２４を１８０°回転させて被写体側に向けることが可能な構成が一般に知られている。この構成においてＬＣＤ１２４が被写体側に向けられると、表示画面内の表示がライブビューから顔領域の検出数に自動的に切り替わるようにしてもよい。顔領域の検出数は、視認性向上のため、例えば表示画面内に大きな数字で表示される。
【００７７】
また、顔領域の検出範囲は、上記の実施形態では固体撮像素子１１２の読出し領域に従うが、別の実施形態では操作部１０２の操作を介して設定変更可能であってもよい。例えば、被写体となる人物を撮影領域の中央に寄せたい場合は、顔領域の検出範囲を固体撮像素子１１２の有効画素領域の中央部に制限することが考えられる。この場合、発光部１０８ａは、設定されている顔領域の検出範囲を撮影者に報知するため、検出範囲毎に異なる態様（所定の点滅間隔や特定の発光色等）で発光される。
【００７８】
また、撮影領域内に収まる顔領域の検出数は、上記の実施形態では発光部１０８ａを用いて視覚的に報知されているが、別の実施形態では、発光部１０８ａの点灯と併せて又は単独で、電子音等の音声を用いて聴覚的に報知されてもよい。
【符号の説明】
【００７９】
１  撮影装置
１０  カメラ本体部
１０ａ  筐体
１１  グリップ
１１ａ  （グリップの）前面
１２  マウント部
１３  マウント周辺部
１４  （筐体１０ａの前面に形成された）面
２０  交換レンズ
１００  ＣＰＵ
１０２  操作部
１０４  駆動回路
１０６  姿勢検出部
１０８  情報報知部
１０８ａ  発光部
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  撮影レンズ
２０２  絞り
３００  メモリカード
【図１】
0006555632.tif 000002
【図２】
0006555632.tif 000003
【図３】
0006555632.tif 000004
【図４】
0006555632.tif 000005
【図５】
0006555632.tif 000006
【図６】
0006555632.tif 000007
【図７】
0006555632.tif 000008
【図８】
0006555632.tif 000009
【図９】
0006555632.tif 000010
【図１０】
0006555632.tif 000011
【図１１】
0006555632.tif 000012
【図１２】
0006555632.tif 000013
【図１３】
0006555632.tif 000014